(57)【要約】      （修正有）【課題】信頼性が高く、耐久性が高く、電力消費量が低く、コンパクトで安価なソレノイドバルブアセンブリを提供する。【解決手段】ソレノイドバルブアセンブリ７０は、本体１０および二次本体２０と、本体１０内に配置されたコイル３０と、少なくとも１つの流入路１１および少なくとも１つの流出路２１と、本体１０および二次本体２０に物理的に関連づけられたバルブシート４０と、を含み、バルブシート４０の気密チャンバ４１内に配置された少なくとも１つの可動部材４２が、磁気通過部４５１と、バルブシート４０の下壁４５を通る磁束を、可動部材４２に向けてそらすことが可能である磁気遮断部４５２と、を含む下壁４５を備えている。【選択図】図２
2018179297.tif 000002
【特許請求の範囲】
【請求項１】
流量制御のためのソレノイドバルブアセンブリであって、前記ソレノイドバルブアセンブリ（７０）が、
本体（１０）および二次本体（２０）と、
本体（１０）内に配置されたコイル（３０）と、
少なくとも１つの流入路（１１）および少なくとも１つの流出路（２１）と、
本体（１０）と二次本体（２０）との間を調和させるために、本体（１０）と二次本体（２０）とに物理的に関連したバルブシート（４０）であって、前記バルブシート（４０）が、少なくとも二次本体（２０）と組み合わせて、気密チャンバ（４１）を画定している、バルブシート（４０）と、
気密チャンバ（４１）内に配置された少なくとも１つの可動部材（４２）と、
を含み、
前記少なくとも１つの可動部材（４２）が、少なくとも１つの強磁性部分を備え、それにより、コイル（３０）によって生じる磁界に応じて、吸引または反発されるようになっており、それにより、可動部材（４２）が移動することができ、
前記少なくとも１つの流入路（１１）が、少なくとも１つの流入開口（１２）によって気密チャンバ（４１）と連通しており、
前記少なくとも１つの可動部材（４２）が、少なくとも１つの流入開口（１２）を開けるか閉じるために、少なくとも１つの流入開口（１２）と協同的であり、
前記ソレノイドバルブアセンブリが、
前記バルブシート（４０）が、磁気通過部（４５１）および磁気遮断部（４５２）を含む下壁（４５）を備えることと、
前記磁気遮断部が、バルブシート（４０）の下壁（４５）を通る磁束を、可動部材（４２）に向けてそらすことが可能であること、
を特徴とする、ソレノイドバルブアセンブリ。
【請求項２】
本体（１０）が開チャンバ（１３）を画定することを特徴とする、請求項１に記載の流量制御のためのソレノイドバルブアセンブリ。
【請求項３】
気密チャンバ（４１）が、本体（１０）によって画定された開チャンバ（１３）から長手方向に離間していることを特徴とする、請求項２に記載の流量制御のためのソレノイドバルブアセンブリ。
【請求項４】
流入路（１１）が、本体（１０）とバルブシート（４０）とに物理的に関連づけられた筒状本体（５０）内に画定されていることを特徴とする、請求項１に記載の流量制御のためのソレノイドバルブアセンブリ。
【請求項５】
磁気遮断部（４５２）が、非鉄材料で形成された金属リングであることを特徴とする、請求項１に記載の流量制御のためのソレノイドバルブアセンブリ。
【請求項６】
磁気遮断部（４５２）がエアリングであることを特徴とする、請求項１に記載の流量制御のためのソレノイドバルブアセンブリ。
【請求項７】
金属リングがステンレス鋼で形成されていることを特徴とする、請求項５に記載の流量制御のためのソレノイドバルブアセンブリ。
【請求項８】
コイル（３０）への通電が止まっている場合、可動部材（４２）が、流入開口（１２）から離間しており、それにより、流入路（１１）と気密チャンバ（４１）との間の流体連通を維持するようになっていることを特徴とする、請求項１に記載の流量制御のためのソレノイドバルブアセンブリ。
【請求項９】
可動部材（４２）が、流入開口（１２）を密閉することが可能である下面（４２１）と、少なくとも１つの戻しばね（６０）と関連づけられた上面（４２２）とを含んでいることを特徴とする、請求項１に記載の流量制御のためのソレノイドバルブアセンブリ。
【請求項１０】
少なくとも１つの戻しばね（６０）が、板バネまたは板バネの束であることを特徴とする、請求項９に記載の流量制御のためのソレノイドバルブアセンブリ。
【請求項１１】
戻しばね（６０）が、二次本体（２０）のフランジ部分（２３）に対して着座されていることを特徴とする、請求項８に記載の流量制御のためのソレノイドバルブアセンブリ。
【請求項１２】
可動部材（４２）が円板状の本体を備えていることを特徴とする、請求項１に記載の流量制御のためのソレノイドバルブアセンブリ。
【請求項１３】
可動部材（４２）が、少なくとも１つの流入路（１１）から径方向に離間した、少なくとも１つの貫通穴（４３）を備えていることを特徴とする、請求項１に記載の流量制御のためのソレノイドバルブアセンブリ。
【請求項１４】
流量制御のためのソレノイドバルブアセンブリ（７０）を備えた冷却システムであって、
少なくとも１つのコンプレッサ（７１）と、
少なくとも１つのコンデンサ（７２）と、
少なくとも１つの膨張デバイス（７３）と、
少なくとも１つの蒸発器（７４）と、
少なくとも１つのコンプレッサ（７１）、少なくとも１つのコンデンサ（７２）少なくとも１つの膨張デバイス（７３）、および少なくとも１つの蒸発器（７４）を流体的かつ順次連通させる閉じた回路（７５）と、を含み、
少なくとも１つの膨張デバイス（７３）が、それぞれの公称の膨張キャパシティを含むとともに、少なくとも１つのコンデンサ（７２）と少なくとも１つの蒸発器（７４）との間に配置されており、
コンプレッサ（７１）が、閉じた回路（７５）に沿って流体を流し、閉じた回路（７５）が公称の回路の流れのキャパシティを有しており、
流量制御のためのソレノイドバルブアセンブリ（７０）が少なくとも１つのコンデンサ（７２）の流出部と、少なくとも１つの膨張デバイス（７３）の流入部との間に配置されており、
流量制御のためのソレノイドバルブアセンブリ（７０）が、膨張デバイス（７３）を通る流体が公称の膨張キャパシティに等しくなるように調整され、
前記冷却システムが、流量制御のためのソレノイドバルブアセンブリ（７０）が請求項１から請求項１３のいずれか一項に記載のように規定されていることを特徴とする、
冷却システム。
【発明の詳細な説明】
【技術分野】
【０００１】
本発明は、冷却システムに関し、主として、制御可能で、作動が速く、電気消費量が少なく、耐久性が高く、冷却システムの効率を獲得することが可能である、冷却システムにおける流量制御のためのバルブアセンブリに関する。
【背景技術】
【０００２】
当業者には既知であるように、ソレノイドで制御可能なバルブは、広く知られており、特に流体の流れの制御に関する分野において、可能性のある用途が広い。このバルブでは、しばしば、ソレノイドバルブの迅速な作動および正確な制御が、これら構成要素の設計において考慮される、重要な要素である。このタイプのバルブの用途の例は、内燃エンジンの燃料注入バルブ、ならびに、冷却コンプレッサおよび／または冷却回路自体である。
【０００３】
概して、ソレノイドで制御可能なバルブは、巻かれたワイヤによって形成されたコイルを備え、それにより、電流がこのワイヤを通って流れる際に、前記電流が吸引力または反発力を生成し、バルブの可動部分を、密閉するチャネルに向かって移動させるか、チャネルから離れるように移動させる。それにより、チャネルを開通および／または閉鎖する。
【０００４】
そのようなバルブでは、作動の反応時間は、特に、バルブの可動部分の質量、コイルを流れる電流、およびその結果として放散される電力、空隙の設計などの、いくつかの因子に応じて与えられる。
【０００５】
最新技術から既知であるソレノイドで制御可能なバルブは基本的に、２つのグループに分けられる。回転移動するバルブと、線形移動するバルブとであり、それらのほとんどは、安定状態が２つある（開いた位置の安定状態と、閉じた位置の安定状態）。これら状態の両方は、駆動シークエンスに依存しており、駆動シークエンスは、バルブを低速にし、少ない数のサイクルを実施する解決策に主に適用可能とする。このため、多数サイクルで作動するには、信頼性が低い。
【０００６】
この状況を考慮すると、最新技術のいくつかの解決策は、作動が速いソレノイドで制御可能なバルブの設計をすでに目的としており、その理由は、そのような要素が、問題となっている用途に応じて、最も重要であり得るからである。
【０００７】
たとえば、米国特許第４９０５９６２号明細書の文献の解決策について言及する。この文献は、バルブプレートに対してある角度で傾斜して、ウェッジ形状の空隙をバルブプレートとの間に画定する磁極表面を有し、それにより、バルブシートの近位を除いて、バルブストローク全体を低減し（ここで、密閉されるチャネルが画定される）、その結果として、バルブの作動開始時におけるこのバルブの加速を最適化するようになっている、電磁石を含む、切替えが迅速な電磁ソレノイドバルブについて記載している。具体的には、この文献によって提案されている構成における磁束は、明らかに、ハウジングと、磁極表面を規定する本体とを通して生じており、磁束の形状はやはり、ウェッジを示していることがさらに観測される。この方法では、上述の文献が、迅速な作動バルブを提供しているのに関わらず、電力消費量を節約する目的のために、磁束の最適な経路を提供することは考慮していないことが見られる。
【０００８】
ソレノイドバルブの迅速な作動に関する別の解決策は、米国特許出願公開第２０１４／２２５０１８号明細書の文献に見られる。この文献は、次に、本体に収容されたコイルと、チャネルを通る流体の通過を制御するように構成された可動部材と、を備え、前記可動部材が物理的に電機子と関連し、前記電機子が磁性部と非磁性部とを有し、電機子の磁性部により、コイルが通電され、磁界を生じた際に、電機子が吸引および／または反発されることを可能にし、また、やはり、非磁性部が、バルブアセンブリの本体に電機子をともに固定するために最小量で提供され、それにより、電機子によって磁束を減じることのないようになっている、バルブアセンブリを記載している。したがって、前記文献は、磁束が通る経路に関するいくつかの問題を示しており、それにより、特定のチャネルを密閉するバルブの可動部材を吸引／反発することが可能になっている。このことは、本発明によって対処される注目点の１つである。しかしながら、米国特許出願公開第２０１４／２２５０１８号明細書の解決策は、他の理由の中でも、この文献がコンパクトな解決策を提供していないことから、磁束の観点および設計の観点からも、依然として最適化することができる。
【０００９】
同時に、冷却システムの構成および構造を参照すると、特に、様々な可能性のある構成が、最新技術で既知であることが指摘されている。よりシンプルな構成では、冷却システムは、作動流体（冷却流体）を、圧縮機構を通して圧縮およびポンピングするコンプレッサと、作動流体によって熱を放出するコンデンサと、作動流体を膨張させる膨張デバイス（たとえば、毛細管）と、内部で作動流体が気化し、冷却される環境から熱を取り出す蒸発器と、前記デバイスを流体接続し、回路を規定するパイプと、を順次備えている。
【００１０】
いくつかの冷却システムでは、膨張デバイス、または毛細管は、決まったキャパシティのコンプレッサと、単一の周囲の温度における良好な性能の条件のためのサイズになっている。システムの周囲の温度および／または内部の負荷が変化している状況では、この性能が損なわれる。可変キャパシティのコンプレッサを使用する冷却システムでは、毛細管が、コンプレッサの最大のキャパシティに対するサイズとされており、毛細管が低いキャパシティで作動する場合、毛細管は、コンプレッサポンプよりも流量が大であり、システムの効率を低減させることから、この問題はさらにより重要である。
【００１１】
より具体的には、この問題を避けるために、いくつかの解決策には、冷却システム内の冷却流体の流れを制御するバルブを使用することがすでに記載されている。これら解決策の１つは、伯国特許第０６０１２９８１号明細書の文献に開示されている。前記文献は、概念的方式で、コンデンサ、蒸発器、および流体膨張デバイスを含む閉じた回路に流体接続された密閉コンプレッサを備え、前記流体膨張デバイスが公称の膨張キャパシティを有し、この膨張デバイスが蒸発器とコンデンサとの間に配置され、閉じた回路も回路の流れの公称キャパシティを含む、冷却回路の流体制御のシステムおよび方法を記載している。さらに、前記システムは、コンデンサの流出部と、流体膨張デバイスの流入部との間に配置された流量制御バルブを備え、この流量制御バルブは、膨張デバイスを通る流体が、常に、実質的に公称の膨張キャパシティにあるように調節されている。
【００１２】
このため、上述のすべての観点から、上述の解決策が、その解決策が実現可能とするように作られた目的に関しては機能的であることが証明されているが、最新技術において、コンパクトで安価な構成で、信頼性が高く、切替えが迅速で、電力消費量が低く、耐久性が高いソレノイド制御可能な流量制御バルブを提供することに関して、依然としてギャップが存在することに留意されたい。このことは、伯国特許第０６０１２９８１号明細書の文献に記載の解決策のコンセプトを実現可能とすることもできる。
【００１３】
この背景から、本発明が生じている。
【先行技術文献】
【特許文献】
【００１４】
【特許文献１】米国特許第４９０５９６２号明細書
【特許文献２】米国特許出願公開第２０１４／２２５０１８号明細書
【特許文献３】伯国特許第０６０１２９８１号明細書
【発明の概要】
【発明が解決しようとする課題】
【００１５】
このため、信頼性が高く、耐久性が高く、かつ、主として電力消費量が低い、流量制御のためのソレノイドバルブアセンブリを開示することが、本発明の主要な目的である。
【００１６】
コンパクトで安価なソレノイドバルブアセンブリを提供することも、本発明の目的である。
【００１７】
さらに、生成された磁束のための最適な経路を画定するために、ソレノイドバルブアセンブリの空隙を変更することが可能である解決策を開示することが、本発明の目的である。
【００１８】
高効率の冷却システムを含む、様々な用途に実現可能である、シンプルで、安価で、かつ、高い耐久性の解決策を説明することが、別の目的である。
【課題を解決するための手段】
【００１９】
上に概説された目的は、流量制御のためのソレノイドバルブアセンブリであって、前記ソレノイドバルブアセンブリが、本体および二次本体と、本体内に配置されたコイルと、少なくとも１つの流入路および少なくとも１つの流出路と、本体と二次本体との間を調和させるために、本体と二次本体とに物理的に関連したバルブシートであって、前記バルブシートが、少なくとも二次本体と組み合わせて、気密チャンバを画定している、バルブシートと、を含む流量制御のためのソレノイドバルブアセンブリによって完全に達成される。
【００２０】
少なくとも１つの可動部材は、気密チャンバ内に配置され、少なくとも１つの強磁性部分を備え、それにより、コイルによって生じる磁界に応じて、吸引または反発されるようになっており、それにより、可動部材が移動することができるようになっている。
【００２１】
前記少なくとも１つの流入路は、少なくとも１つの流入開口によって気密チャンバと連通している。前記少なくとも１つの可動部材は、少なくとも１つの流入開口が開くか閉じるために、少なくとも１つの流入開口と協同的である。
【００２２】
本体は、気密チャンバから長手方向に離間した開チャンバを画定している。
【００２３】
特に、本発明によれば、前記バルブシートが、磁気通過部と磁気遮断部とを含み、前記磁気遮断部が、バルブシートの下壁を通る磁束を、可動部材に向けてそらすことが可能である、下壁を備えている。
【００２４】
好ましくは、流入路が、本体とバルブシートとに物理的に関連づけられた筒状本体内に画定されている。
【００２５】
やはり好ましくは、磁気遮断部が、非鉄材料、より具体的には、ステンレス鋼で形成された金属リングである。代替的には、磁気遮断部はエアリングである。
【００２６】
本発明によれば、コイルへの通電が止まっている場合、可動部材が、流入開口から離間しており、それにより、流入路と気密チャンバとの間の流体連通を維持するようになっている。
【００２７】
可動部材は、流入開口を密閉することが可能である下面と、少なくとも１つの戻しばねと関連づけられていることが好ましい上面とを含み、前記少なくとも１つの戻しばねが、板バネまたは板バネの束である。
【００２８】
前記戻しばねは、二次本体のフランジ部分に規定された止め部に対して着座している。
【００２９】
可動部材は、円板状の本体を有している。さらに、前記可動部材は、少なくとも１つの流入路から径方向に離間した、少なくとも１つの貫通穴をさらに備えている。
【００３０】
さらに、本発明は、流量制御のためのソレノイドバルブアセンブリを備えた冷却システムであって、少なくとも１つのコンプレッサと、少なくとも１つのコンデンサと、少なくとも１つの膨張デバイスと、少なくとも１つの蒸発器と、少なくとも１つのコンプレッサ、少なくとも１つのコンデンサ、少なくとも１つの膨張デバイス、および少なくとも１つの蒸発器を流体的かつ順次連通させる閉じた回路と、を含む、冷却システムにも言及する。
【００３１】
前記少なくとも１つの膨張デバイスは、それぞれの公称の膨張キャパシティを含むとともに、少なくとも１つのコンデンサと少なくとも１つの蒸発器との間に配置されている。
【００３２】
コンプレッサは、閉じた回路に沿って流体を流し、閉じた回路が公称の回路の流れのキャパシティを有している。
【００３３】
流量制御のためのソレノイドバルブアセンブリは、少なくとも１つのコンデンサの流出部と、少なくとも１つの膨張デバイスの流入部との間に配置されており、前記ソレノイドバルブアセンブリは、膨張デバイスを通る流体が公称の膨張キャパシティに等しくなるように調整され、流量制御のためのソレノイドバルブアセンブリは、上述のように規定されている。
【００３４】
本発明は、以下に列挙する図面に基づいて、詳細に説明されることになる。
【図面の簡単な説明】
【００３５】
【図１】最新技術による、ソレノイドバルブアセンブリの長手方向の断面図である。
【図２】本発明の好ましい実施形態による、ソレノイドバルブアセンブリの長手方向の断面図である。
【図３】本発明によるソレノイドバルブアセンブリを備えた冷却システムの概略図である。
【発明を実施するための形態】
【００３６】
問題となっている本発明の中心的目的によると、流量制御のためのソレノイドバルブアセンブリ７０が開示されている。このソレノイドバルブアセンブリ７０は、開チャンバ１３およびハウジングをその内部に画定する本体１０と、コイル３０と、本体１０から長手方向に離間した二次本体２０と、本体１０と二次本体２０との間を調和させるために、本体１０と二次本体２０とに物理的に同時に関連したバルブシート４０と、を含み、前記バルブシート４０が、少なくとも二次本体２０と組み合わせて、気密チャンバ４１を画定している。この気密チャンバ４１は、やはり、開チャンバ１３から長手方向に離間している。
【００３７】
気密チャンバ４１は、コイル３０が内部に収容される、本体１０によって画定された開チャンバ１３と区別するように名前が付されている。本発明のソレノイドバルブアセンブリ７０の気密チャンバなどの気密チャンバはやはり既知であり、このため、気密チャンバの機能は詳細に説明する必要はない。このため、開チャンバ１３は、必ずしも気密ではないことから、そのように名前が付されている。
【００３８】
しかしながら、前記気密チャンバ４１が、以下にさらに詳細に説明するように、重要な圧力均一化機能を有することは、述べる価値がある。
【００３９】
前記気密チャンバ４１の内側には、好ましくは円板状の形状である、少なくとも１つの可動部材４２が配置されている。この可動部材４２は、可動部材４２の動作によって、少なくとも１つの流入路１１から少なくとも１つの流出路２１への流体の通流を制御する。より具体的には、前記流入路１１は、少なくとも１つの流入開口１２を通して気密チャンバ４１と連通し、そして、気密チャンバ４１は、可動部材４２上に画定され、互いに周方向に離間している複数の貫通穴４３によって流出路２１と連通している。
【００４０】
少なくとも１つの可動部材４２は、少なくとも１つの流入開口１２と協同し、それにより、前記可動部材４２が少なくとも１つの強磁性の部分を備えることから、コイル３０によって生成される磁界に応じて、可動部材４２が吸引または反発される際に、流入開口１２が開くか閉じるようになっている。
【００４１】
より具体的には、可動部材４２は、下面４２１および上面４２２を含み、下面４２１は、バルブシート４０に対して着座することが可能であり、それにより、流入開口１２を密閉するようになっている。さらに、前記可動部材４２のストロークは、したがって、バルブシート４０の下壁４５から二次本体２０のフランジ部分２３に提供される。
【００４２】
本発明の好ましい実施形態によれば、コイル３０が通電されると、可動部材４２が吸引され、流入開口１２を密閉し、コイル３０への通電が止まると、可動部材４２が、シンプルな圧力差、すなわち、流入路１１からの流体の力自体によって移動し、二次本体２０のフランジ部分２３に対して凭れる。コイル３０への通電が止まっているこの状況では、可動部材４２は、流入開口１２から離間しており、それにより、流入路１１と気密チャンバ４１との間の流体連通を維持するようになっている。したがって、このことは、「唯一の静的な位置」である。
【００４３】
当業者には、代替的に、ソレノイドバルブアセンブリ７０の設計は、コイル３０への通電が止まった際に、流入開口１２の閉じた状況における可動部材４２の唯一の静的な位置を提供するように適合させることができることも理解されたい。
【００４４】
流入開口１２の開いた状況において可動部材４２の唯一の静的な位置を有することの利点は、ソレノイドバルブアセンブリ７０が故障した状況において、流体の通過を止めず、可動部材４２の上流の圧力を過度に増大させず、それにより、故障に関わらず、アセンブリの全体性が依然として維持されるようになっていることである。
【００４５】
具体的には、本発明によれば、前記バルブシート４０は、本体１０の側壁１５、または、この側壁１５から延びるいくつかのフランジにおいて、本体１０に対して載せる下壁４５を備えている。バルブシート４０の下壁４５は、磁気通過部４５１および磁気遮断部４５２を含んでいる。前記磁気遮断部４５２は、バルブシート４０の下壁４５を通る磁束を、可動部材４２の方向にそらすことが可能であり、それにより、前記磁束が前記可動部材４２を通過するようになっている。
【００４６】
この方法で、ソレノイドバルブアセンブリ７０の空隙が、コイル３０を通る同じ電流、すなわち、同じ消費電力に関して、「最適な」磁束の経路が存在し、より高い効率（強度、速度）および信頼性で、可動部材４２を吸引／反発させることが可能であるように、変更される。
【００４７】
これに関して、比較により、磁気遮断部４５２が提供されていない場合、磁束は、図１に破線で示した経路を通ることが指摘される。一方、バルブシート４０に隣接する前記磁気遮断部４５２が提供されていると、磁束は、図２に破線で示した経路に沿って通る。
【００４８】
このため、可動部材４２が本体およびコイル３０から長手方向に離間し、実質的に離れていることから、磁気遮断部４５２を設けることが、説明した構成によるソレノイドバルブアセンブリ７０に関して必須であることが強調されている。
【００４９】
本発明の好ましい実施形態によれば、本体１０はカップ形状であり、第１の穴１００がカップの下端部に位置している。この穴は、流入路１１を画定する筒状本体５０を受領している。
【００５０】
好ましくは、バルブシート４０も、カップに類似の形状を有し、その下壁４５に第２の穴４００を備え、それにより、筒状本体５０の上端部５１を受領するようになっている。
【００５１】
やはり、好ましい方式で、二次本体２０は、フランジ部分２３を下端部に含み、それにより、バルブシート４０と係合し、また、可動部材４２のストローク端部の規定もするようになっている、筒状形状を備えている。
【００５２】
このため、図２に見ることができるように、本発明の好ましい実施形態によれば、本体１０、筒状本体５０、バルブシート４０、および二次本体２０は、互いに軸方向に整列している。
【００５３】
好ましくは、バルブシート４０に規定された磁気遮断部４５２は、非鉄材料で形成された金属リングである。代替的には、磁気遮断部４５２は、エアリングである場合がある。別の実現可能な手段では、リングの代わりに、互いから周方向に離間した弓状のセグメントを設けることが可能である。金属材料を選択するケースでは、ステンレス鋼の透磁率が低く、低コストで、加工が容易であること（たとえば、延性）に起因して、ステンレス鋼を使用することが、良好な選択肢である。
【００５４】
さらに、磁気遮断部４５２が金属リングであるケースでも、前記金属リングが下壁４５の厚さにほぼ等しい厚さを有し、それにより、第２の穴４００の領域において、下壁の延長を提供するような方式で、金属リングが下壁４５に隣接して配置されるようになっていることが予見される。
【００５５】
このため、上述の本発明の好ましい特徴の観点から、気密チャンバ４１が最終的に、磁気通過部４５１および磁気遮断部４５２を含むバルブシート４０、二次本体２０、および筒状本体５０の上端部５１によって画定されることを理解されたい。
【００５６】
好ましくは、可動部材４２の上面４２２は、板バネタイプまたは板バネの束の、少なくとも１つの戻しばね６０と関連づけられている。前記戻しばね６０は、好ましくは、二次本体２０のフランジ部分２３に対し、気密チャンバ４１に隣接して着座している。
【００５７】
明らかに、戻しばね６０が可動部材の上面４２２と関連づけられた板バネまたは板バネの束であるケースでは、前記戻しばね６０は、気密チャンバ４１と流出路２１との間の流体連通を確実にするように、可動部材４２の貫通穴４３に整列した、協同する貫通穴（図示せず）を有する必要がある。
【００５８】
この方法、すなわち、バルブシート４０の下壁４５自体の部分を規定する磁気遮断部４５２、板バネまたは板バネの束である戻しばね６０、および、気密チャンバ４１に隣接するとともに、本体１０によって画定された開チャンバ１３内に配置されるつる巻きバネではない戻しばね６０の構成により、本発明は、たとえば、信頼性、迅速な作動、および低い電力消費量に関連する、発明が提案された目的を達成するのに加え、依然として、コンパクトな設計を提供し、内部の冷却コンプレッサを含む、様々な用途で使用することができる。
【００５９】
このため、可動部材４２のみならず、磁気遮断部４５２も戻しばね６０も、コイル３０または前記コイル３０を収容する本体１０を囲み、コイル３０または前記コイル３０を収容する本体１０によって囲まれる領域内には配置されていないことに留意されたい。換言すると、可動部材４２、磁気遮断部４５２と、戻しばね６０との両方が、本体１０とコイル３０とから長手方向に離間して配置されている。
【００６０】
好ましい方式では、可動部材４２に規定された前記貫通穴４３は、少なくとも１つの流入路１１から径方向に離間していることがさらに強調されている。
【００６１】
上述のように、前記貫通穴４３は、気密チャンバ４１と流出路２１との間を流体連通させ、それにより、ソレノイドバルブアセンブリ７０の正常な動作の間に機能するのに加え、貫通穴４３がやはり、流入路１１に関する流出路２１において圧力が過剰に上昇し、不適切になる際に、圧力を均一化するように機能することも示すようになっている。
【００６２】
すなわち、可動部材４２の下流の圧力は、可動部材４２の上流の圧力よりも大である場合、前記可動部材４２は閉じたままにされ得、望ましくない事実では、上述したように、包括的に、戻しばね６０によって提供される戻し力を超える。このため、前記貫通穴４３により、流出路２１から気密チャンバ４１への流体の逆流が可能になるが、貫通穴４３が、流入路１１と整列していない、すなわち、流入路１１から径方向に離間していることから、貫通穴４３は、そこからの流体の流れを著しくは妨げない。
【００６３】
したがって、本明細書に説明されている特徴によれば、本発明の流量制御のためのソレノイドバルブアセンブリ７０は、バルブの迅速な切替えと、高い切替えサイクル数とを必要とする冷却コンプレッサを含む、様々な用途に適する。
【００６４】
さらに、提案されているソレノイドバルブアセンブリ７０は、伯国特許第０６０１２９８１号明細書の文献に記載されているような、高効率の冷却システムにおける流量制御にも適する。
【００６５】
すなわち、コンプレッサ７１（好ましくは、可変速および／または複数吸引タイプ）と、コンデンサ７２と、膨張デバイス７３と、蒸発器７４と、コンプレッサ７１、コンデンサ７２、膨張デバイス７３、および蒸発器７４を流体的かつ順次連通させる閉じた回路７５と、を備え、前記膨張デバイス７３が、蒸発器７４とコンデンサ７２との間に配置された冷却システムが、コンデンサ７２の流出部と、膨張デバイス７３の流入部との間に配置された、上述した流量制御のためのソレノイドバルブアセンブリ７０をも備え得ることが、やはり予見される。
【００６６】
このため、膨張デバイス７３がそれぞれの公称の膨張キャパシティを有し、コンプレッサ７１が、回路の流れの公称のキャパシティを含む閉じた回路７５に沿って流体の流れを生じさせることから、前記ソレノイドバルブアセンブリ７０は、膨張デバイス７３を通る流体が公称の膨張キャパシティに等しくなるように、調整することができる。したがって、コンプレッサ７１が低キャパシティ（低速）で作動している場合であっても、膨張デバイス７３の効率および、結果として、冷却システム全体としての効率は、依然として維持することができる。
【００６７】
上述の説明には、例示的方式で、問題となっている本発明の特定の実施形態を説明するという唯一の目的があることを強調することが重要である。したがって、同じ結果を達成するために、実質的に同じ方式で同じ機能を実施する要素の変形、変更、および建設的な組合せが依然として、添付の特許請求の範囲によって規定される保護の範囲内にあることが明らかである。
【符号の説明】
【００６８】
１０  本体
１１  流入路
１２  流入開口
１３  開チャンバ
１５  側壁
２０  二次本体
２１  流出路
２３  フランジ部分
３０  コイル
４０  バルブシート
４１  気密チャンバ
４２  可動部材
４３  貫通穴
４５  下壁
５０  筒状本体
５１  上端部
６０  戻しばね
７０  ソレノイドバルブアセンブリ
７１  コンプレッサ
７２  コンデンサ
７３  膨張デバイス
７４  蒸発器
７５  閉じた回路
１００  第１の穴
４００  第２の穴
４２１  下面
４２２  上面
４５１  磁気通過部
４５２  磁気遮断部
【図１】
2018179297.tif 000003
【図２】
2018179297.tif 000004
【図３】
2018179297.tif 000005
【外国語明細書】
2018179297000001.pdf